(57)【要約】  本容器は、酸化カルシウムと、水袋と、水袋を破き、水を酸化カルシウムと混合させて発熱反応を引き起こすストライカとを含む下部の皿を含有する外側の器と、調理済みの食品を含み、下部の皿上に固定される上部の皿とを備える。外側の器は、その側面に、下部の容器と外側の器の側面との間に中空の側室を形成する凹部部分および突出部分と、上記垂直部分の上端部に対応して、下部の皿の上部開口部において画定される突出する縁部を線形支持するための縁部段差とを有する。上部の皿は、その上端部に近い領域に、上部の皿を支持し、接着手段によって下部の皿の突出する上縁部上に固定するための、縁部段差を備える。【選択図】なし
2015514642.tif 000002
【特許請求の範囲】
【請求項１】
調理済み食品用の加熱機能付き容器であって、底部と、側面と、上部開口部とを有する外側の器と、底部と、側面と、上部開口部とを有し、前記器に収容される下部の皿であって、酸化カルシウムと、水袋と、前記袋を破き、前記水を酸化カルシウムと混合させて発熱反応を引き起こすストライカとを含む下部の皿と、前記調理済みの食品を含み、底部と、側面と、密閉蓋を有する上部開口部とを設ける上部の皿とを備え、前記上部の皿は前記外側の器および前記下部の皿の前記上端部の周辺部に、接着製品によって固定される種類の容器であって、
前記外側の器は、その側面に交互に配置される、前記外側の器に対して前記下部の皿をセンタリングするための凹部部分と、前記下部の容器と前記外側の器の前記側面との間に中空の側室を形成する突出部分とを有し、
前記外側の器は、前記垂直部分の前記上端部に対応して、前記下部の皿の前記上部開口部において画定される突出する縁部を前記線形支持するための縁部段差を有し、
前記上部の皿は、その上端部に近い領域に、前記上部の皿を支持し、接着手段によって前記下部の皿の前記突出する上縁部に固定するための縁部段差を含み、前記上部の皿の前記外面のほとんどは前記縁部段差の下部および前記下部の皿の内部に配置されることを特徴とする、容器。
【請求項２】
前記下部の皿はその側面に、前記外側の器の前記側面から突出するそれぞれの垂直部分と結合することを目的とする、垂直の組立ガイドを有することを特徴とする、請求項１に記載の容器。
【請求項３】
前記下部の皿の前記垂直のガイドおよび前記外側の器から突出するそれぞれの前記垂直部分は、前記外側の器に対して前記下部の皿を支持する領域を形成する、補助段差部分を中間領域に有することを特徴とする、請求項２に記載の容器。
【請求項４】
前記下部の皿は、その底部に突出する直径部分を有し、前記直径部分は前記ストライカを配置するための内部筐体を形成し、前記外側の器の前記底部と接触し、前記下部の皿の前記底部の残りは、前記外側の器の前記底部から離間して配置されることを特徴とする、請求項１〜３のうちいずれか一項に記載の容器。
【発明の詳細な説明】
【技術分野】
【０００１】
本発明は調理済み食品用の加熱機能付き容器に関する。本発明の加熱機能付き容器は、底部と、側面と、上部開口部とを有する外側の器と、底部と、側面と、上部開口部とを有し、器の内部に収容される下部の皿であって、混合すると発熱反応を生じる成分と、上記成分の１つを含有する袋を破くためのストライカとを含む下部の皿と、調理済みの食品を含み、底部と、側面と、密閉蓋を有する上部開口部とを設ける上部の皿とを備える種類の容器であって、上記上部の皿は、外側の器および下部の皿の上端部の周辺部に、接着製品によって固定される。
【０００２】
本発明は食品包装部門、より具体的には、消費する前に食品を加熱することを目的とする調理済みの食品の包装部門に適用可能である。
【背景技術】
【０００３】
自発的に加熱するための手段を備える調理済み成分用の容器は、現在既知である。
【０００４】
特許文献１は、包装された食品を加熱するための手段を備える、調理済み食品用の容器を開示している。容器は耐高温のプラスチック材からなる長方形の底部を有する皿から形成される。容器は開口部周囲に突出する縁部を有し、その各側部の上部中央領域には、突出する縁部によって上面に画定される長方形の開口がある。長辺の側部のうち１つの中央領域には、組み込まれると側部の下部領域に位置する穴があり、かなり長い本体はその端部の１つで、同じ側部に固定される鋭い構成を備える。反対の側部は、従来の方法により容器の外面に固定される丸い構成を備える。容器上に、具体的にはその開口部の周囲上に、長方形の底部（１０）を備える本体を有する。この本体は、その側面に、具体的には同じ２つの長方形の各開口において広い中央の開口を備え、容器はポリウレタンフォームからなる皿の内部に組み込むことができる。
【０００５】
特許文献２は上記の容器と同じ種類の、調理済み食品用の容器に関する。ただし、この容器はアルミニウム製の器の内部において、底部に対して中央の位置に、ユーザが容器の底部を押すことによって水を入れた袋を破るためのストライカ手段を有する。この容器も既知である。特許文献２では、食品を含有する缶は、接着手段によって底部をアルミニウム製の器の上縁部に、および側部を段ボール製の器に固定される。これによって、上記反応生成物上に確実に缶を配置できる。
【０００６】
この種類の加熱機能付き容器では、下部の皿は発熱反応を起こすことを目的とする製品を含有し、それによって、加熱対象である調理済みの食品を含有する上部の皿を加熱する。この下部の皿は実質的に、板紙またはプラスチックを材料とすることができる外側の器の底部および側面の全体と接触する。
【０００７】
発熱反応が起こる下部の皿と外側の器との間の接触面が広いことは、発熱の多くが外側の器に直接伝わることを意味する。その結果としてユーザが火傷を負う危険性があり、加熱対象である調理済みの食品を含有する上部の皿を加熱する点においては、熱が無駄になる。
【０００８】
既知であるこの種類の容器の別の欠点は、食品を含有する上部の皿も器の中に収まることであり、側面全体が実質的に外側の器の側面と接触する。つまり、加熱対象の上部の皿と発熱反応が発生する下部の皿との間の接触は、上記上部の皿の底部によってのみ行われる。
【０００９】
これは、下部の皿の底部および側面が、外側の器の底部および側面と接触することによって、発熱反応による発熱の多くが上部の皿を加熱するためには用いられず、直接外部に伝わることを意味する。
【先行技術文献】
【特許文献】
【００１０】
【特許文献１】スペイン特許第２１４６４９４号
【特許文献２】スペイン特許第２１７６０８６号
【発明の概要】
【００１１】
本発明による調理済み食品用の加熱機能付き容器は、底部と、側面と、上部開口部とを有する外側の器と、底部と、側面と、上部開口部とを有し、外側の器内部に収容される下部の皿であって、上記下部の皿は酸化カルシウムと、水袋と、袋を破いて水と酸化カルシウムを混合させ、発熱反応を起こさせるストライカとを含む下部の皿と、調理済みの食品を含み、底部と、側面と、閉鎖蓋を有する上部開口部とを設ける上部の皿とを備える種類の容器であって、上記上部の皿は外側の器および下部の皿の上端部の周辺部に、接着製品によって固定される。
【００１２】
本加熱機能付き容器の特徴は、下部の皿に含有される製品の発熱反応の発熱を最適に使用して、上部の皿に含有される食品を加熱することである。
【００１３】
本発明の別の目的は、下部の皿に含有される成分の反応による発熱にさらされる、上部の皿の表面を最大限にすることである。それによって、上部の皿を効果的に加熱するために、下部の皿に含有される製品（酸化カルシウムおよび水）の量を低減できる。
【００１４】
本発明の別の目的は、下部の皿と外側の器の間の接触面を最小限にし、外側の器の側面および下部の底部を通じた熱損失を低減し、容器が熱くなってから、ユーザが容器を扱う際に火傷を負う危険性をさらに低減することである。
【００１５】
この目的のため、および本発明にしたがい、外側の器はその外面に沿って交互に配置される凹部部分と、突出部分とを有する。凹部部分は外側の器に対して下部の皿をセンタリングし、突出部分は下部の容器と外側の器の側面との間に中空の側室を形成し、それによって、外側の器の側面を通じて、発熱反応中に発生する熱が直接的に損失されることを防ぐ。
【００１６】
この外側の器は、上記垂直部分の上端部に対応して、下部の皿の上部開口部において画定される、突出する上縁部を線形支持するための縁部段差を有する。上部の皿は、その上端部に近い領域に、上部の皿を支持し、接着手段によって下部の皿の突出する上縁部上に固定するための縁部段差を備える。上部の皿の外面のほとんどは上記の縁部段差の下部および下部の皿の内部に配置される。
【００１７】
したがって、上部の皿のすべての表面は、下部の皿で発生する発熱反応の発熱に実質的に直接さらされる。
【００１８】
本発明の別の特徴は、下部の皿がその側面に、それぞれ外側の器の側面から突出する垂直部分に結合することを目的とする、垂直の組立ガイドを有することである。上記垂直のガイドおよび外側の器のそれぞれの垂直部分のどちらも、補助段差部分を中間領域に有する。補助段差部分は外側の器に対して下部の皿を支持する領域を形成する。これによって、外側の器に対して下部の皿が安定し、外側の器の縁部段差上に、下部の皿の上縁部によって形成される支持領域に加えて、支持領域を提供する。
【００１９】
本発明の別の特徴は、下部の皿が、その底部に突出する直径部分を有し、その直径部分はストライカを配置するための内部筐体を形成することである。ストライカに圧力をかけると水袋が破れ、水が酸化カルシウムと混合し、その結果として発熱反応が始まる。
【００２０】
この突出する直径部分はストライカを含有し、外側の器の底部と接触する役目を果たす。下部の皿の残りの底部が外側の器の底部から離間して配置されることによって、下部の皿内部で発生する発熱反応による発熱を、外側の器の底部を通じて外部に損失することを最小限にする。
【図面の簡単な説明】
【００２１】
上記説明を補足するため、および本発明の特徴をより良く理解するために、図面一式を本明細書に添付し、以下の様に例示および非限定の特徴を用いて説明する。
【図１】本発明による調理済み食品用の加熱機能付き容器を形成する、様々な構成要素の分解上面斜視図を示す。ただし、酸化カルシウムは下部の皿に含有される粉末剤のため描写していない。
【図２】本発明による調理済み食品用の加熱機能付き容器を形成する、様々な構成要素の分解底面斜視図を示す。ただし、酸化カルシウムは下部の皿に含有される粉末剤のため描写していない。
【図３】本発明による加熱機能付き容器の組立位置における斜視図を示す。
【図４】図３の加熱機能付き容器の組立位置における立面図を示す。
【図５】図４にＡ−Ａで示す垂直面で切断した加熱機能付き容器の側面図を示す。
【発明を実施するための形態】
【００２２】
添付図に示す実施形態において、加熱機能付き容器は外側の器（１）を備え、外側の器には、以下に説明するように、お互いに固定される下部の皿（２）と上部の皿（３）が収容される。
【００２３】
本事例の外側の器（１）は再生段ボールから形成され、底部（１１）、側面（１２）および上部開口部（１３）を有する。上記外側の器（１）は、その側面（１２）に交互に配置される凹部部分（１４）および突出部分（１５）を有する。凹部部分（１４）および突出部分（１５）は、下部の皿（２）の第１の線形支持面を形成する縁部段差（１６）まで続く。
【００２４】
対角線上に対向する２つの突出部分（１５）は、その中間領域に、下部の皿（２）の第２の支持面を形成する段差部分（１７）を有する。
【００２５】
本事例の下部の皿（２）はアルミニウムで形成され、底部（２１）、側面および外側の器（１）の縁部段差（１６）上で下部の皿（２）を線形支持するための突出する縁部（２４）を備える上部開口部（２３）を有する。
【００２６】
この下部の皿（２）は、その底部に突出する直径部分（２５）を有し、その直径部分（２５）はストライカ（７）を配置するための内部筐体を形成する。ユーザが容器の底からストライカ（７）を押すと、下部の皿内部に収容される水袋（６）が破れ、図５に示すように、下部の皿内部に同様に配置される別の成分、本事例では酸化カルシウム（５）と水が混合する。それによって、発熱反応が生じ、調理済みの食品を含有する上部の皿（３）を加熱するために必要な熱が放出される。
【００２７】
下部の皿（２）は、２つの垂直なガイド（２６）を対角線上に対向する位置に有し、組み立て時には中間段差部分（１７）に設けられた突出部（１５）に嵌合する。
【００２８】
この垂直のガイド（２６）は、外側の器（１）の段差部分を補足する段差部分（２７）を有し、両方の段差部分（１７、２７）は外側の器（１）に対する下部の皿（２）の補助支持領域を形成する。
【００２９】
上部の皿（３）は加熱対象の調理済みの要素を含有し、底部（３１）および上部開口部（３４）に近接する領域に縁部段差（３３）を備える側面（３２）を有する。
【００３０】
この上部開口部（３４）には密閉蓋（４）が設けられ、容器が使用されるまで、上部の皿（３）に含有される調理済みの食品を保存する。
【００３１】
図５から分かるように、上部開口部（３４）に近接する領域における、上部の皿（３）の縁部段差（３３）の構成によって以下のことが決定される。上部の皿（３）がその縁部段差（３３）によって、下部の皿（２）の突出する縁部（２４）上に一辺の接着剤（８）によって固定されると、実質的に上部の皿（３）の外面全体は下部の皿（２）の内部に収容され、したがって下部の皿（２）に含有される成分の反応にる発熱に直接さらされる。
【００３２】
前述の説明および図５から分かるように、組立位置において、下部の皿（２）の底部（２１）は、ストライカ（７）を含む直径部分（２５）を除いて、外側の器の底部（１１）から離間している。そのため、上記外側の器（１）の底部（１１）を通じて外部に熱を損失することが顕著に低減される。
【００３３】
同様に、外側の器（１）の側面（１２）に画定される突出部分（１５）は、外側の器（１）の側面（１２）と下部の皿（２）の側面（２２）との間に中空の室を形成する。この中空の室によって、上記外側の器（１）の側面を通じた外部への熱損失が低減され、下部の皿（２）内部で生じる発熱反応の結果として下部の皿（２）が横方向に膨張しても、下部の皿（２）の側面を収容する部分が生じる。
【００３４】
この膨張は、上記外側の皿がアルミニウム箔で形成され、側面の折り曲げ部が、その内部に含有される成分の混合によって生じる発熱反応中に容易に膨張する場合に、主に発生する。
【００３５】
本発明およびその好ましい実施形態を十分に説明してきたが、すべての効果および目的において、上述した成分の材料、形状の大きさおよび構成は、その修正が下記の請求の範囲の本質的特徴の変更を伴わない限り、修正可能であることをここに述べる。
【符号の説明】
【００３６】
１：外側の器
２：下部の皿
３：上部の皿
５：酸化カルシウム
６：水袋
７：ストライカ
１１：底部
１２：側面
１３：上部開口部
１４：凹部部分
１５：突出部分
１６：縁部段差
１７：段差部分
２１：底部
２３：上部開口部
２４：縁部
２５：直径部分
２６：ガイド
２７：段差部分
【図１】
2015514642.tif 000003
【図２】
2015514642.tif 000004
【図３】
2015514642.tif 000005
【図４】
2015514642.tif 000006
【図５】
2015514642.tif 000007
【国際調査報告】
2015514642.tif 000008
2015514642.tif 000009
2015514642.tif 000010
2015514642.tif 000011
2015514642.tif 000012
2015514642.tif 000013